(57)【特許請求の範囲】
【請求項１】
上端に挿入口を有する細長い有底の袋を複数枚重ねて垂下状態で保持し収容する袋収容部と、
袋面に着脱可能に接着する粘着物が固着された袋保持板、および、袋面に着脱可能に接着する粘着物が固着され前記袋保持板に蝶着されて袋保持板に対し離間する方向へ付勢される袋開口板から構成され、前記袋収容部に収容された袋を１枚ずつ取り出し前記挿入口を開かせて垂下状態に保持する袋保持具と、
この袋保持具を袋の取出し位置と袋詰め位置との間で移動させる袋移動機構と、
袋詰め位置において前記袋保持具により垂下状態に保持された袋の挿入口に向かって空気を吹き付け挿入口から袋内部へ空気を吹き込んで袋を膨らます送風機と、
を備えたことを特徴とする野菜類の袋詰め作業補助装置。
【請求項２】
上端に挿入口を有する細長い有底の袋を複数枚重ねて垂下状態で保持し収容する袋収容部と、
この袋収容部に収容された袋を１枚ずつ取り出し前記挿入口を開かせて垂下状態に保持する袋保持具と、
上端部に前記袋保持具が取着された回動フレーム、この回動フレームを、その重心付近の位置で回動自在に支持する支軸、および、この支軸が固着された固定フレームから構成され、前記袋保持具を袋の取出し位置と袋詰め位置との間で移動させる袋移動機構と、
袋詰め位置において前記袋保持具により垂下状態に保持された袋の挿入口に向かって空気を吹き付け挿入口から袋内部へ空気を吹き込んで袋を膨らます送風機と、
を備えたことを特徴とする野菜類の袋詰め作業補助装置。
【請求項３】
袋詰め位置に、前記袋保持具により垂下状態に保持された袋の挿入口へ野菜類を導くための筒が配設された請求項１または請求項２記載の野菜類の袋詰め作業補助装置。
【発明の詳細な説明】
【０００１】
【発明の属する技術分野】
この発明は、ねぎやにらなどの細長くて折れ曲がり易い野菜類を人手で袋詰めする際に使用され、その袋詰め作業に要する時間と労力を低減させることができる野菜類の袋詰め作業補助装置に関する。
【０００２】
【従来の技術】
収穫された細長くて折れ曲がり易い野菜類、例えばねぎを生産農家で袋詰めする作業は、従来、全て人手によって行われていた。すなわち、まず、細長い有底の袋の上端部を片方の手の指先で摘んで持ち、もう一方の手の指先で袋の上端部を、上端の挿入口が少し開くようにして摘み、袋の挿入口に向かって息を勢い良く吹き付け、袋の挿入口を開ける。次に、利き手側の指先を袋から離し、片方の手の指先で袋の上端部を摘んで保持したまま、空いた方の手でねぎの束を掴んで、ねぎの根の方から袋内へ差し入れる。ねぎが長さの４分の１程度袋内に入ると、ねぎを持っていた手の指先で再び袋の上端部を摘み、両手の指先で袋の上端部を、上端の挿入口が開くように摘んで持ち、袋を上下方向に揺すって袋の底までねぎを落とし入れるようにしていた。
【０００３】
【発明が解決しようとする課題】
生産農家でのねぎの袋詰め作業は、全て人手によって行われており、特に袋へ息を吹き付けて上端の挿入口を開けながら繰り返し行うものであるため、作業が長時間に及ぶと、身体の負担が大きくなる。また、片方の手だけで袋を持って袋の挿入口が塞がらないように注意しながら、折れ曲がり易いねぎを空いた方の片手だけで掴んで袋内へ挿入する作業は、大変辛いものであり、作業に時間もかかる。
【０００４】
なお、ねぎの袋詰め操作を完全に自動化する装置を開発することは可能であるが、そのような装置を個々の生産農家で採用することは、現実的でない。
【０００５】
この発明は、以上のような事情に鑑みてなされたものであり、簡単な構成で安価に製作することができ、ねぎなどの袋詰めの作業での身体的負担を軽減させ、袋詰め作業に要する時間と労力を低減させることができる野菜類の袋詰め作業補助装置を提供することを目的とする。
【０００６】
【課題を解決するための手段】
請求項１に係る発明は、上端に挿入口を有する細長い有底の袋を複数枚重ねて垂下状態で保持し収容する袋収容部と、この袋収容部に収容された袋を１枚ずつ取り出し前記挿入口を開かせて垂下状態に保持する袋保持具と、この袋保持具を袋の取出し位置と袋詰め位置との間で移動させる袋移動機構と、袋詰め位置において前記袋保持具により垂下状態に保持された袋の挿入口に向かって空気を吹き付け挿入口から袋内部へ空気を吹き込んで袋を膨らます送風機とを備えて、野菜類の袋詰め作業補助装置を構成し、前記袋保持具を、袋面に着脱可能に接着する粘着物が固着された袋保持板と、袋面に着脱可能に接着する粘着物が固着され前記袋保持板に蝶着されて袋保持板に対し離間する方向へ付勢される袋開口板とから構成したことを特徴とする。
【０００８】
請求項２に係る発明は、上端に挿入口を有する細長い有底の袋を複数枚重ねて垂下状態で保持し収容する袋収容部と、この袋収容部に収容された袋を１枚ずつ取り出し前記挿入口を開かせて垂下状態に保持する袋保持具と、この袋保持具を袋の取出し位置と袋詰め位置との間で移動させる袋移動機構と、袋詰め位置において前記袋保持具により垂下状態に保持された袋の挿入口に向かって空気を吹き付け挿入口から袋内部へ空気を吹き込んで袋を膨らます送風機とを備えて、野菜類の袋詰め作業補助装置を構成し、前記袋移動機構を、上端部に前記袋保持具が取着された回動フレームと、この回動フレームを、その重心付近の位置で回動自在に支持する支軸と、この支軸が固着された固定フレームとから構成したことを特徴とする。
【０００９】
請求項３に係る発明は、請求項１または請求項２記載の袋詰め作業補助装置において、袋詰め位置に、前記袋保持具により垂下状態に保持された袋の挿入口へ野菜類を導くための筒を配設したことを特徴とする。
【００１０】
請求項１に係る発明の袋詰め作業補助装置を使用して野菜類、例えば束ねられたねぎを袋詰めするときは、袋移動機構を操作して袋保持具を袋の取出し位置へ移動させた後、袋保持具を操作して、袋収容部に収容された袋を１枚取り出し、その袋の上端の挿入口を開かせて、袋保持具に袋を垂下状態で保持させる。この袋保持具による袋の保持は、次のような操作によって行われる。すなわち、袋保持具の袋保持板に固着された粘着物を、袋収容部に収容された袋の片面に押し当てて袋面に接着させた後、袋保持板を袋収容部から後退させることにより、袋収容部から袋が１枚ずつ取り出される。袋保持板によって袋収容部から袋が取り出されると、袋保持板に蝶着されている袋開口板を回動させて袋保持板に接近させ、袋開口板に固着された粘着物を、袋保持板の粘着物に片面が接着して保持された袋の反対側の片面に押し当てて袋面に接着させる。この後、袋開口板から手を離すと、袋開口板は、その粘着物に袋面が接着した状態で袋保持板から離間するように回動する。これにより、袋の挿入口が自然に開く。
次に、袋移動機構を操作して袋保持具を袋の取出し位置から袋詰め位置へ移動させ、袋詰め位置において袋が、袋保持具によって上端の挿入口が開かれ垂下状態で保持されるようにする。続いて、送風機を駆動させて、送風機から袋の挿入口に向かって空気を吹き付け挿入口から袋内部へ空気を吹き込むことにより、袋を全体にわたって膨らます。この状態で、両方の手を使ってねぎを袋内に挿入する。このとき、折れ曲がり易いねぎの２個所を両方の手で掴んで作業を行うことができるので、その作業が容易であり、袋の挿入口に向かって息を吹き付ける必要も無いので、身体的負担も少ない。また、袋は、挿入口が開き全体が膨らんでいるので、袋の底までねぎを容易に入れることができる。ねぎの袋詰めが終わると、ねぎの入った袋を袋保持具から取り外す。このとき、袋は、粘着物に接着して袋保持具の袋保持板と袋開口板に保持されているだけであるので、容易に袋保持板と袋開口板から取り外すことができる。
【００１２】
請求項２に係る発明の袋詰め補助装置を使用して野菜類、例えば束ねられたねぎを袋詰めするときは、袋移動機構の固定フレームに固着された支軸を中心として回動フレームを回動させることにより、回動フレームの上端部に取着された袋保持具を袋の取出し位置へ移動させる。このとき、回動フレームは、その重心付近の位置で支軸を介して固定フレームに支持されているので、回動フレームを回動させるのに、それほど力を必要としないし、回動フレームが重力によって勝手に回動したりすることがなく、適当な位置に停止させることが可能である。このようにして袋保持具を袋の取出し位置へ移動させた後、袋保持具を操作して、袋収容部に収容された袋を１枚取り出し、その袋の上端の挿入口を開かせて、袋保持具に袋を垂下状態で保持させる。次に、袋移動機構を操作して袋保持具を袋の取出し位置から袋詰め位置へ移動させ、袋詰め位置において袋が、袋保持具によって上端の挿入口が開かれ垂下状態で保持されるようにする。続いて、送風機を駆動させて、送風機から袋の挿入口に向かって空気を吹き付け挿入口から袋内部へ空気を吹き込むことにより、袋を全体にわたって膨らます。この状態で、両方の手を使ってねぎを袋内に挿入する。このとき、折れ曲がり易いねぎの２個所を両方の手で掴んで作業を行うことができるので、その作業が容易であり、袋の挿入口に向かって息を吹き付ける必要も無いので、身体的負担も少ない。また、袋は、挿入口が開き全体が膨らんでいるので、袋の底までねぎを容易に入れることができる。ねぎの袋詰めが終わると、ねぎの入った袋を袋保持具から取り外す。
【００１３】
請求項３に係る発明の袋詰め作業補助装置では、袋詰め位置において袋保持具により垂下状態に保持された袋内へねぎを挿入する際に、筒がガイドの役目をするので、袋の挿入口から袋内へねぎを入れる作業がより容易になる。
【００１４】
【発明の実施の形態】
以下、この発明の好適な実施形態について図面を参照しながら説明する。
【００１５】
図１および図２は、この発明の実施形態の１例を示し、図１は、野菜類、例えばねぎの袋詰め作業補助装置の全体構成を示す斜視図であり、図２は、その側面図である。この装置は、複数本のパイプを継手によって連結することにより組み立てられた固定フレーム１０を有している。
【００１６】
固定フレーム１０の前部には、４本の支柱パイプ１２が垂設されており、それらの支柱パイプ１２の上端部に、後方へ向かって下向きに傾斜した袋設置台１４が取着され、袋設置台１４面上の上端付近に、係合ピン１６が植設されている。これらの支柱パイプ１２、袋設置台１４および係合ピン１６により、袋収容部１８が構成されている。この袋収容部１８には、図２に示すように、上端に挿入口を有する細長い有底の袋２０が、その上端付近に形成された係合孔を袋設置台１４面上の係合ピン１６に挿入することにより、複数枚重ねられた状態で保持され収容されている。そして、袋収容部１８に収容された袋２０は、上部が袋設置台１４面上に傾斜状態で支承され、それより下方の部分が袋設置台１４の下端縁から垂れ下がっている。なお、係合ピン１６が尖端を有しているときは、袋２０の上端付近に係合孔が形成されていなくても、係合ピン１６に袋２０の上端付近を突き刺して係合させるようにすればよい。
【００１７】
固定フレーム１０の中央部に直立した左右一対の支柱２２、２２には、それぞれ支軸２４が固着されており、その各支軸２４に、縦方向に長い矩形状の回動フレーム２６が、その縦方向の一対のパイプ２８、２８の中央部にそれぞれ固着された係合部材３０を介して回動自在に支持されている。回動フレーム２６の支持位置は、回動フレーム２６が重力によって勝手に回動しないように、また、回動フレーム２６を小さい力で回動させることができるように、回動フレーム２６の重心付近とされている。また、回動フレーム２６を重心位置より上方の位置で支持することにより、回動フレーム２６を重力の作用によって常に直立姿勢に戻すように付勢することができる。
【００１８】
回動フレーム２６の上端部には、袋収容部１８に収容された袋２０を１枚ずつ取り出し袋２０上端の挿入口を開かせて袋２０を垂下状態で保持する袋保持具３２が取着されている。袋保持具３２は、回動フレーム２６の上端部に固定された袋保持板３４と、袋保持板３４の一端部に一端部が蝶着されて袋保持板３４に対し開閉する袋開口板３６とから構成されている。袋保持板３４および袋開口板３６の互いに対向する各板面には、袋面に着脱可能に接着する粘着物３８、４０がそれぞれ固着されている。また、袋開口板３６は、袋保持板３４に対し離間する方向へ付勢されるようになっている。袋保持板３４に対して袋開口板３６を付勢する手段としては、ばね等の弾発部材によって強制的に付勢するものであってもよいし、回動フレーム２６が傾いた状態のときに袋開口板３６自体の重みによって付勢されるようにしたものであってもよい。
【００１９】
固定フレーム１０の後部中央から上方へ突き出るように垂設された支柱パイプ４２には、その上端部に水平方向前方へ突き出た取付用パイプ４４が連結され、その取付用パイプ４４の前端部に、吹出し口が下向きとなるように小型送風機４６が取着されている。また、支柱パイプ４２の中間部に、水平方向前方へ突き出た取付用パイプ４８が連結されており、その取付用パイプ４８の前端部に、小型送風機４６の吹出し口の直下に位置して小型送風機４６の吹出し口から吹き出された空気を袋の挿入口から袋内部へ導入する通風筒５０が取着されている。また、この通風筒５０は、ねぎを袋内へ挿入する際のガイドとしての役目も有する。そのガイドとしての役割を好適に果たすために、通風筒５０が取着された取付用パイプ４８を支柱パイプ４２に対して上下方向へ移動させることができるように係合させておき、ねぎを袋内へ挿入する際に通風筒５０を袋の挿入口に接近させるようにすることもできる。また、袋詰めしようとする野菜の種類や束の大きさなどに応じて通風筒５０を取り替えることができるように、通風筒５０を取付用パイプ４８に着脱可能とすることもできる。なお、通風筒５０は、特に必要が無ければ、設けなくてもよい。
【００２０】
次に、上記した構成を有する袋詰め作業補助装置を使用してねぎを袋詰めする動作について、図３ないし図７を参照しながら説明する。
【００２１】
まず、作業者が手で回動フレーム２６を時計回りに回動させて、回動フレーム２６の上端部に取着された袋保持具３２を袋収容部１８に接近させる。このとき、袋保持具３２の袋開口板３６は、それ自体の重みによって袋保持板３４に対し開いた状態となっている。そして、図３の（ａ）に示すように、袋保持具３２の袋保持板３４を、袋収容部１８の袋設置台１４上に各上部が保持されて複数枚重ねられた袋２０の上端部に押し当てる。これにより、袋保持板３４に固着された粘着物３８が、袋設置台１４上の最上位置の袋２０の片面に接着する。続いて、図３の（ｂ）に示すように、回動フレーム２６を反時計回りに回動させて、袋保持具３２を袋収容部１８から後退させる。これにより、袋設置台１４上から最上位置の袋２０だけが取り出される。
【００２２】
袋保持板３４によって袋収容部１８から袋２０が取り出されると、袋保持板３４に蝶着されている袋開口板３６を、作業者が回動フレーム２６を把持していない方の手で回動させて袋保持板３４に接近させ、図４の（ｃ）に示すように、袋保持板３４の粘着物３８に片面が接着して保持された袋２０の反対側の片面に袋開口板３６を押し当てて、袋開口板３６に固着された粘着物４０を袋面に接着させる。この後、袋開口板３６から手を離すと、図４の（ｄ）に示すように、袋開口板３６は、粘着物４０に袋面が接着した状態で袋保持板３４から離間するように回動する。これにより、袋２０の挿入口２０ａが半開きの状態となる。
【００２３】
次に、回動フレーム２６をさらに反時計方向へ回動させ、図５に示すように、回動フレーム２６をほぼ直立した姿勢で停止させる。この回動フレーム２６の停止位置が袋詰め位置となり、この袋詰め位置において、袋２０は、その上端部外面が袋保持板３４および袋開口板３６の各粘着物に接着し、上端の挿入口が半開きとなり、垂下状態で袋保持具３２に保持される。続いて、小型送風機４６を駆動させて、小型送風機４６から袋２０の挿入口に向かって空気を吹き付け挿入口から袋内部へ空気を吹き込む。これにより、図６に示すように、袋２０は、その上端の挿入口が円形に大きく開くとともに、全体にわたって膨らむ。
【００２４】
袋２０の全体が膨らむと、作業者は、両方の手を使ってねぎを掴み、図７に示すように、束にされたねぎ５２を通風筒５０内に通して袋２０内へ挿入する。このとき、折れ曲がり易いねぎ５２の２個所を両方の手で掴んで作業を行うことができるので、袋詰め作業が容易である。また、従来のように、袋２０の挿入口に向かって息を吹き付ける必要も無いので、作業者の身体的負担も少ない。そして、袋２０は、挿入口が大きく開いて全体が膨らんでいるので、袋２０の底までねぎ５２を容易に入れることができる。この際、袋２０は、袋保持具３２の袋保持板３４および袋開口板３６の各粘着物３８、４０に接着して保持されており、袋保持具３２から脱落することはない。
【００２５】
ねぎ５２の袋詰めが終わると、ねぎ５２の入った袋２０を袋保持具３２から取り外す。この際、袋２０は、各粘着物３８、４０に接着して袋保持板３４と袋開口板３６に保持されているだけであるため、ねぎ５２の入った袋２０を容易に袋保持板３４および袋開口板３６から引き離すことができる。
【００２６】
この発明に係る袋詰め作業補助装置は、以上説明したような構成を備えているが、この発明の範囲は、上記説明ならびに図面の内容によって限定されず、この発明は種々の形態で実施することができる。例えば、上記した実施形態では、袋保持具３２を回動フレーム２６の上端部に取着して、回動フレーム２６を回動させることにより、袋保持具３２を袋の取出し位置と袋詰め位置と間で移動させるようにしているが、短いレール上を水平方向に往復移動することができる可動フレームに袋保持具を取着し、その可動フレームを直線移動させることにより、袋保持具を袋の取出し位置と袋詰め位置と間で移動させるような機構としてもよい。また、袋保持具や袋収容部の構成も、上記実施形態のものと同様の機能を有しているものであれば代替可能である。
【００２７】
【発明の効果】
請求項１および請求項２に係る各発明の袋詰め作業補助装置を使用すると、ねぎなどの野菜類を袋詰めする作業での身体的負担を軽減させ、袋詰め作業に要する時間と労力を低減させることができる。そして、この袋詰め作業補助装置は、簡単な構成で安価に製作することができるので、生産農家などでも十分に採用が可能である。
【００２８】
上記した効果に加え、請求項１に係る発明の袋詰め作業補助装置では、袋収容部に収容された袋を１枚ずつ取り出し挿入口を開かせて垂下状態に保持し、また、袋詰めの終わった袋を取り外す各操作を、簡易な構成で効率良く行うことができる。
【００２９】
上記した効果に加え、請求項２に係る発明の袋詰め補助装置では、簡単な構成により、ほとんど労力をかけないで、袋保持具を袋の取出し位置と袋詰め位置との間で移動させる動作を行うことができる。
【００３０】
請求項３に係る発明の袋詰め作業補助装置では、袋詰め位置において袋の挿入口から袋内へ野菜類を入れる作業をより容易に行うことができる。
【図面の簡単な説明】
【図１】野菜類の袋詰め作業補助装置の全体構成を示す斜視図である。
【図２】図１に示した袋詰め作業補助装置の側面図である。
【図３】図１に示した袋詰め作業補助装置を使用してねぎを袋詰めする動作について説明するための部分拡大側面図である。
【図４】同じく、部分拡大側面図である。
【図５】同じく、装置全体の側面図である。
【図６】同じく、装置全体の側面図である。
【図７】同じく、部分側面図である。
【符号の説明】
１０  固定フレーム
１２、４２  支柱パイプ
１４  袋設置台
１６  係合ピン
１８  袋収容部
２０  袋
２０ａ  袋の挿入口
２２  固定フレームの支柱
２４  支軸
２６  回動フレーム
２８  回動フレームの縦方向のパイプ
３０  係合部材
３２  袋保持具
３４  袋保持板
３６  袋開口板
３８、４０  粘着物
４４、４８  取付用パイプ
４６  小型送風機
５０  通風筒
５２  束にされたねぎ
【図１】
0003616023.tif 000002
【図２】
0003616023.tif 000003
【図３】
0003616023.tif 000004
【図４】
0003616023.tif 000005
【図５】
0003616023.tif 000006
【図６】
0003616023.tif 000007
【図７】
0003616023.tif 000008